(57)【要約】      （修正有）【課題】構造が簡単で製造工程が少なく、製造コストが低く抑えられる両方向スライド型引き出し構造体の提供。【解決手段】引き出し３は、いずれかの方向に引き出されたときに脱落を防止するための第１のストッパー１１と、逆方向に引き出されたときに脱落を防止するための第２のストッパー１２とを備え、第１のストッパー１１と第２のストッパー１２の設置高さが異なり、本体２は、第１のストッパー１１を係止する第１の係止部と第２のストッパー１２を係止する第２の係止部３２とを有するスライドレール３０ａ，ｂ，ｃを備える。引き出し３は、本体２に脱着するための第１のストッパー１１の下部に第１の切り欠き部２１と、第２のストッパー１２の下部に第２の切り欠き部２２を有するつば部２０を備える。スライドレール３０ａ，ｂ，ｃは、引き出し３を中央位置に留めるための第１のストッパー１１と第２のストッパー１２を係止する第３の係止部３３を備える。【選択図】図３
2020171614.tif 000002
【特許請求の範囲】
【請求項１】
本体と引き出しとを備える両方向スライド型引き出し構造体であって、
前記引き出しは、いずれかの方向に引き出されたときに脱落を防止するための第１のストッパーと、逆方向に引き出されたときに脱落を防止するための第２のストッパーとを備え、
前記第１のストッパーと前記第２のストッパーの設置高さが異なり、
前記本体は、前記第１のストッパーを係止する第１の係止部と前記第２のストッパーを係止する第２の係止部とを有するスライドレールを備える
ことを特徴とする両方向スライド型引き出し構造体。
【請求項２】
前記引き出しは、前記本体に脱着するための、前記第１のストッパーの下部に第１の切り欠き部と、前記第２のストッパーの下部に第２の切り欠き部とのいずれか又は両方を有するつば部を備える
ことを特徴とする請求項１記載の両方向スライド型引き出し構造体。
【請求項３】
前記スライドレールは、前記引き出しを特定の位置に留めるための、前記第１のストッパーと前記第２のストッパーのいずれか又は両方を係止する第３の係止部を備える
ことを特徴とする請求項１又は２記載の両方向スライド型引き出し構造体。
【発明の詳細な説明】
【技術分野】
【０００１】
本発明は、両方向にスライドすることができる引き出し構造体に関するものである。
【背景技術】
【０００２】
両方向にスライドすることができる引き出し構造体については、いくつかの構造が提案されている。例えば、特許文献１に示された従来の両方向スライド型引き出し構造体では、引出し収容空間を形成する側板の内面に、互いに前後に対向する前部ストッパーと後部ストッパーとを、左右方向の内方に向けて突出しうるように設けるとともに、引出し本体の下面に突設した当接部材を、前部ストッパーと後部ストッパーとの間に配置して、引出し本体の引出し時に、当接部材の前面を、前部ストッパーに当接させることにより、引出し本体の前方への引出し量を規制し、かつ当接部材の後面を、後部ストッパーに当接させることにより、引出し本体の後方への引出し量を規制する。
【先行技術文献】
【特許文献】
【０００３】
【特許文献１】特開２００８−２２８８９６号公報
【発明の概要】
【発明が解決しようとする課題】
【０００４】
しかしながら、従来の両方向スライド型引き出し構造体では、引き出しの本体からの脱落を防止したり、引き出しを本体から脱着し易くしたり、引き出しを中央の位置などの特定の位置に留めて静止させる等の機能を実現するための構造が複雑なため構成部品や製造工程が多く、そのため、製造コストが高い、等の問題がある。
【０００５】
本発明は、上述した問題点に鑑み、構造が簡単で、製造工程が少なく、製造コストが低く抑えられる両方向スライド型引き出し構造体を提供することを目的としている。
【課題を解決するための手段】
【０００６】
本発明に係る両方向スライド型引き出し構造体は、本体と引き出しとを備え、前記引き出しは、いずれかの方向に引き出されたときに脱落を防止するための第１のストッパーと、逆方向に引き出されたときに脱落を防止するための第２のストッパーとを備え、前記第１のストッパーと前記第２のストッパーの設置高さが異なり、前記本体は、前記第１のストッパーを係止する第１の係止部と前記第２のストッパーを係止する第２の係止部とを有するスライドレールを備える。
このように構成することで、引き出しがいずれの方向に引き出されたときにも、ストッパーと係止部が当接するので、本体からの脱落を防止できる。
【０００７】
好ましくは、本発明に係る両方向スライド型引き出し構造体は、前記引き出しは、前記第１のストッパーの下部に第１の切り欠き部と、前記第２のストッパーの下部に第２の切り欠き部とのいずれか又は両方を有するつば部を備える。
このように構成することで、引き出した状態において引き出しを少し上に傾けることで、ストッパーが係止部を乗り越え、かつ、切り欠き部があるためにつば部がスライドレールに当接しないので、引き出しを本体から脱着し易くなる。
【０００８】
さらに好ましくは、本発明に係る両方向スライド型引き出し構造体は、前記スライドレールは、前記第１のストッパーと前記第２のストッパーのいずれか又は両方を係止する第３の係止部を備える。
このように構成することで、引き出しを特定の位置（例えば、中央の位置や、所定の長さだけいずれかの方向に引き出した位置）に留めて静止させることができる。
【発明の効果】
【０００９】
本発明に係る両方向スライド型引き出し構造体によれば、構造が簡単で、製造コストが低く抑えられる両方向スライド型引き出し構造体を提供することができる。
【図面の簡単な説明】
【００１０】
【図１】本発明に係る両方向スライド型引き出し構造体の１つの引き出しの外観図である。
【図２】本発明に係る両方向スライド型引き出し構造体のスライドレールの部分外観図である。
【図３】本発明に係る両方向スライド型引き出し構造体の１つの引き出しを片側に引き出した状態を示す側面図である。
【図４】本発明に係る両方向スライド型引き出し構造体の１つの引き出しを反対側に引き出した状態を示す側面図である。
【図５】本発明に係る両方向スライド型引き出し構造体の１つの引き出しを片側に引き出した状態を示す斜視図である。
【図６】本発明に係る両方向スライド型引き出し構造体の１つの引き出しを片側に引き出し、脱着するときの状態を示す側面図である。
【図７】本発明に係る両方向スライド型引き出し構造体を含むカートの写真である。
【図８】本発明に係る両方向スライド型引き出し構造体を含むカートの外観図である。
【発明を実施するための形態】
【００１１】
以下、本発明の実施形態につき、図面を参照しながら説明を行う。
図１は、本発明に係る両方向スライド型引き出し構造体１の１つの引き出し３の外観図である。 図１（ａ）は平面図、図１（ｂ）は右側面図、図１（ｃ）は正面図である。なお、背面図と正面図は同一、左側面図と右側面図は対称である。図２は、本発明に係る両方向スライド型引き出し構造体１のスライドレール３０の部分外観図である。実際には、上下方向に同構造のものが多数配置されているが、一部分のみを表している。 図２（ａ）は、正面図、図２（ｂ）は右側面図である。
【００１２】
図３は、本発明に係る両方向スライド型引き出し構造体１の１つの引き出し３を片側に引き出した状態を示す側面図である。図４は、本発明に係る両方向スライド型引き出し構造体１の１つの引き出し３を反対側に引き出した状態を示す側面図である。図５は、本発明に係る両方向スライド型引き出し構造体１の１つの引き出し３を片側に引き出した状態を示す斜視図である。ただし、引き出し３を出し入れするための正面及び背面に設置されている取っ手等は図示を省略しているなど、概念的な図である。
【００１３】
本発明に係る両方向スライド型引き出し構造体１は、本体２と複数の引き出し３を備える。本体２は、縦方向に複数の引き出し３を取り付けることができるように、両側面の内面に水平にスライドレール３０ａ、３０ｂ及び３０ｃを複数備える。スライドレール３０全体を本体２に取り付けるための引っ掛け部を本体２側に複数備えており、ねじ等を使用せずに本体２に固定できる。
【００１４】
引き出し３は、その両側面の外側に、円柱型の突起部である第１のストッパー１１と第２のストッパー１２を備える。第１のストッパー１１は引き出し３の片側（図３では左側）の下部に、また、第２のストッパー１２は反対側（図３では右側）の上部にそれぞれ設置され、設置高さが異なっている。
引き出し３は、その両側面の外側の下部全体に、つば部２０を備える。ただし、つば部２０は、第１のストッパー１１の下方に第１の切り欠き部２１と、第２のストッパーの下方に第２の切り欠き部２２を有する。
【００１５】
スライドレール３０は、３本が１セットとなり上下方向に等間隔で水平に配置されている。１セットの一番上がスライドレール３０ａ、２番目がスライドレール３０ｂ、３番目がスライドレール３０ｃである。
スライドレール３０ａの本体最端部（図２で左側）の上部には第２の係止部３２が設置され、引き出し３が最も左側に引き出された状態で第２のストッパー１２が第２の係止部３２と当接することで、引き出し３の左側への本体２からの脱落を防止する。
スライドレール３０ａの反対側（図２で右側）では、本体右側最端部まで続かずに、少し手前で間隔を保って終わっている。
【００１６】
スライドレール３０ｂの本体最端部（図２で右側）の上部には第１の係止部３１が設置され、引き出し３が最も右側に引き出された状態で第１のストッパー１１が第１の係止部３１と当接することで、引き出し３の右側への本体２からの脱落を防止する。
スライドレール３０ｃは、端部に係止部はない。また、本体左側最端部まで続かずに、本体最端部（図２で左側）の少し手前で間隔を保って終わっている。
【００１７】
スライドレール３０ａとスライドレール３０ｂ上に凹状の第３の係止部３３ａ及び３３ｂを設けている。これにより、引き出し３の全体が本体２の中央に完全に収納されている状態の時に、第１のストッパー１１と第２のストッパー１２の両方がそれぞれ第３の係止部３３ａ及び３３ｂに収まる位置関係になっており、引き出し３が本体２の中央に静止するようになっている。
【００１８】
図６は、本発明に係る両方向スライド型引き出し構造体１の１つの引き出し３を片側に引き出しを脱着するときの状態を示す側面図である。
引き出し３を第２のストッパー１２と第２の係止部３２が当接する位置まで引き出した状態で、少し上側に持ち上げて傾けると、第２のストッパー１２が第２の係止部３２の位置より上に上がるので、係止が解ける。そのとき、第２の切り欠き部２２があるため、引き出し３のつば部２０がスライドレール３０に引っかかることがない。従って、引き出し３を本体２から斜め上方向に脱着することができる。
また、この実施形態においては、引き出し３の側面の上部の両側には切り欠き部４０があり、脱着しようとしている引き出し３の右側の下部が、下の引き出し３の引き出し側面上部の切り欠き部４０に入ることで、下の引き出し３に当たることがないので、上下の引き出し間の間隔がほとんどない設計条件の場合でも、引き出し３を本体２から斜め上方向に脱着することができる。
【００１９】
図７は、本発明に係る両方向スライド型引き出し構造体１を含むカートの写真である。図８は、本発明に係る両方向スライド型引き出し構造体１を含むカートの外観図である。本カートは、多目的用途に使用でき、例えば病院等で使用する救急用具類を各引き出しに収納したり、上部のスペースで作業するための救急カートとして適している。
【００２０】
図８（ａ）は、両方向スライド型引き出し構造体１をカートから出した状態での正面図、図８（ｂ）は左側面図、図８（ｃ）は右側面図、図８（ｄ）は平面図である。なお、背面図は正面図と対称である（ただし、正面図における上部の水平に設置された取っ手はないところが相違する）。
カートの内部に両方向スライド型引き出し構造体１が完全に収納される構造となっており、下部には５個のキャスター、上部には４つの転落防止用のバーが設置されている。側面上部には取っ手が設置されている。上面は作業台として活用できる。
【００２１】
ここでは、最上部と上から２段目にそれぞれスライドレール３３ａ、３０ｂ及び３３ｃが１セット分の高さの引き出しが、３段目には１．５セット分の高さの引き出しが、４段目と５段目には２セット分の高さの引き出しが、６段目（最下段）には２．５セット分の高さの引き出しがそれぞれ挿入されている。どの順番に各引き出しを本体の上から設置するかは自由にユーザーが選択できる。
もちろん、各引き出しは手前方向と後ろ方向のどちらにもスライドできる。最上段の引き出しにだけ、本体に設置された鍵機構を使用して鍵をかけることができる。各引き出しは、鍵機構に対応する穴部を取っ手の近傍の上部に有している。
【００２２】
以上説明した通り、本発明に係る両方向スライド型引き出し構造体によれば、構造が簡単で、製造工程が少なく、製造コストが低く抑えられる両方向スライド型引き出し構造体を提供することができる。
【００２３】
本発明は、以上述べた実施形態に限定されることはなく、他にも種々の実施形態を採用することができる。スライドレール３０は合成樹脂などで製作できる。
【産業上の利用可能性】
【００２４】
本発明は、両方向スライド型引き出し構造体及びそれを含む各種用途の引き出し構造体応用製品に利用可能である。
【符号の説明】
【００２５】
１  両方向スライド型引き出し構造体
２  本体
３  引き出し
１１  第１のストッパー
１２  第２のストッパー
２０  つば部
２１  第１の切り欠き部
２２  第２の切り欠き部
３０  スライドレール
３１  第１の係止部
３２  第２の係止部
３３  第３の係止部
４０  引き出し側面上部切り欠き部
【図１】
2020171614.tif 000003
【図２】
2020171614.tif 000004
【図３】
2020171614.tif 000005
【図４】
2020171614.tif 000006
【図５】
2020171614.tif 000007
【図６】
2020171614.tif 000008
【図７】
2020171614.tif 000009
【図８】
2020171614.tif 000010